(57)【要約】【課題】  印画紙の感光面を適正な位置に維持しながら、露光時には印画紙を円滑に搬送する露光ユニットを構成する。【解決手段】  基材側プレート３１と感光面側プレート３２とを対向配置して印画紙Ｐの露光搬送経路を形成し、感光面側プレート３２に形成された露光用のスリット３２Ｓと対向する位置となる基材側プレート３１に対して押圧体５２を配置した。この押圧体５２は、印画紙Ｐの搬送方向と傾斜する出退経路で出退作動し、バネで突出付勢され、ネジで突出量が設定され、この押圧体５２と感光面側プレート３２との間隔を印画紙Ｐの厚さと等しくした。【選択図】        図８
2006133575.tif 000002
【特許請求の範囲】
【請求項１】
搬送機構によって副走査方向に搬送される感光材料の基材側を案内する基材側プレートと、前記感光材料の感光面側を案内する感光面側プレートとを対向配置し、この基材側プレートと感光面側プレートとの間で搬送される前記感光材料に対して基材側から圧力を作用させることにより露光位置において、その感光面を前記感光面側プレートに添わせる押圧機構を備えている露光ユニットであって、
前記押圧機構は、前記基材側プレートの案内面を基準にして、突出方向が前記感光材料の搬送方向の上流側に向かう傾斜姿勢の出退経路において出退自在に支持された押圧体と、この押圧体に突出方向に付勢力を作用させる付勢手段と、前記押圧体の突出量を決める規制手段とを備えて構成され、この規制手段は押圧体の突出側の端面と前記感光面側プレートにおける案内面との距離を、感光材料の厚みと略等しい値に設定してある露光ユニット。
【請求項２】
前記押圧体がブラケットに対してスライド移動自在、かつ、突出位置が規制される状態で支持され、このブラケットが前記基材側プレートに支持されると共に、前記規制手段は前記基材側プレートと前記ブラケットとの距離を調節するネジで構成されている請求項１記載の露光ユニット。
【請求項３】
前記押圧体の突出側の端面を基準にして、前記感光材料の搬送方向の上流側位置に、この上流側ほど前記感光面側プレートの案内面から離間する姿勢の傾斜面を形成してある請求項１又は２記載の露光ユニット。
【請求項４】
前記基材側プレートに対して前記搬送機構を構成する駆動ローラを備え、この基材側プレートに対して前記感光面側プレートを着脱自在に取り付けている請求項１〜３のいずれか１項に記載の露光ユニット。
【請求項５】
前記感光面側プレートにおける前記露光位置に主走査方向に沿う姿勢の露光用のスリットを形成し、このスリットに透明板を備えている請求項１〜４のいずれか１項に記載の露光ユニット。
【発明の詳細な説明】
【技術分野】
【０００１】
本発明は、搬送機構によって副走査方向に搬送される感光材料の基材側を案内する基材側プレートと、前記感光材料の感光面側を案内する感光面側プレートとを対向配置し、この基材側プレートと感光面側プレートとの間で搬送される前記感光材料に対して基材側から圧力を作用させることにより露光位置において、その感光面を前記感光面側プレートに添わせる押圧機構を備えている露光ユニットに関する。
【背景技術】
【０００２】
上記のように構成された露光ユニットとして、特許文献１と特許文献２に記載されるものが存在する。特許文献１では、露光位置に印画紙（本発明の感光材料）を送る経路に、印画紙の基材側を案内する第１ガイド板（本発明の基材側プレート）と、印画紙の感光面側を案内する第２ガイド板（本発明の感光面側プレート）とを配置している。そして、露光エンジンからの露光ラインと対向する露光位置の第１ガイド側には印画紙押圧ローラ（本発明の押圧機構）と、この印画紙押圧ローラを第２ガイドの方向に付勢するバネとを備ている。この特許文献１では、印画紙の搬送時には印画紙押圧ローラが印画紙に圧力を作用させ、その印画紙を第２ガイドに密着させている。
【０００３】
特許文献２では、露光搬送ラインに印画紙（本発明の感光材料）の乳剤面に対向する第１ガイド（本発明の感光面側プレート）と、この印画紙のベース側に対向する第２ガイド（本発明の基材側プレート）とを配置している、この第２ガイドはデジタルプリント部と対向する位置において逃げガイド（本発明の押圧機構）として機能するものである。この特許文献２では第２ガイド（逃げガイド）がバネによって第１ガイドの方向に付勢され、印画紙のスプライス部が通過する際には、バネの付勢力に抗して第２ガイドが第１ガイドから逃げる方向に変位できるように構成され、この逃げガイドの調整ナットの締め付け具合によって第２ガイドと第１ガイドとの間隔を任意に設定できる。
【０００４】
【特許文献１】特開２００１‐１００３２５号公報  （段落番号〔００２６〕〜〔００２９〕、図２）
【特許文献２】特開２００１‐８３６１９号公報  （段落番号〔００２５〕〜〔００２７〕、図４）
【発明の開示】
【発明が解決しようとする課題】
【０００５】
印画紙等の感光材料を副走査方向に搬送しながら、その感光材料の感光面に対して主走査方向に沿ってライン状に露光を行う露光ユニットを考えた場合、例えば、レーザビームを主走査方向に走査する形態で露光を行うものでは、ビーム径が小さくＦθレンズを含む光学系によってビームを収束させることが可能であるため感光材料の感光面が目標とする位置から感光材料の厚み方向に僅かに外れることがあっても画像の鮮鋭度は大きく低下しないものである。しかしながら、露光位置の近傍に配置した主走査方向にＰＬＺＴ型のシャッターや液晶型のシャッターを備えた露光エンジンでは、シャッターから送り出された光線を感光材料の感光面を直接的に導く構造であるため、この感光材料の感光面が目標とする位置から感光材料の厚み方向に僅かに外れても、所謂、ピントが大きく外れた状態に陥り画像の鮮鋭度が大きく低下する現象に繋がっていた。
【０００６】
また、感光材料は厚さが異なる複数種存在するため、露光位置に感光材料を案内する基材側プレートと感光面側プレートとの間隔は感光材料の厚みより充分に大きく設定する必要がある。また、基材側プレートと感光面側プレートとを単純に対向配置することにより感光材料を案内する構造では、露光位置において感光材料の厚み方向での位置を厳密に管理することが困難であった。このような理由から、シャッターを使用する露光ユニットでは特許文献１のように、押圧ローラ（本発明の押圧機構）を用いて感光材料の基材側から圧力を作用させることにより、感光面を目標とする位置に維持することも行われていたのである。
【０００７】
押圧機構を用いるものにおいて、感光材料の感光面を目標とする位置に維持するため、押圧機構の押圧面と、感光面側プレートの案内面との距離を感光材料の厚さより小さい値に設定することも考えられるが、このように距離を設定した場合には感光材料の先端部が露光位置に搬送された場合に、押圧機構からの押圧力によって感光材料の先端部が感光面側プレートに形成された露光用のスリットの方向に押し出され、スリットの開口縁に接触して感光材料の円滑な搬送を阻害するばかりでなく、感光材料の搬送速度を乱してプリントされた画像の画質を低下させることも考えられた。
【０００８】
本発明の目的は、感光材料の感光面を適正な位置に維持するものでありながら、感光材料の先端部の露光時には感光材料の搬送速度を円滑に搬送する露光ユニットを合理的に構成する点にある。
【課題を解決するための手段】
【０００９】
本発明の特徴は、搬送機構によって副走査方向に搬送される感光材料の基材側を案内する基材側プレートと、前記感光材料の感光面側を案内する感光面側プレートとを対向配置し、この基材側プレートと感光面側プレートとの間で搬送される前記感光材料に対して基材側から圧力を作用させることにより露光位置において、その感光面を前記感光面側プレートに添わせる押圧機構を備えている露光ユニットにおいて、
前記押圧機構は、前記基材側プレートの案内面を基準にして、突出方向が前記感光材料の搬送方向の上流側に向かう傾斜姿勢の出退経路において出退自在に支持された押圧体と、この押圧体に突出方向に付勢力を作用させる付勢手段と、前記押圧体の突出量を決める規制手段とを備えて構成され、この規制手段は押圧体の突出側の端面と前記感光面側プレートにおける案内面との距離を、感光材料の厚みと略等しい値に設定した点にある。
【００１０】
この構成により、基材側プレートと感光面側プレートとの間に感光材料を送り込んだ場合には、押圧機構を構成する押圧体の突出側の端面と感光面側プレートにおける案内面との距離が感光材料の厚みと略等しい値であるので、感光材料の先端に対して強い圧力を作用させる現象を回避して、この感光材料の先端を感光面側プレートの露光用のスリットの方向に押し出す不都合も抑制できる。また、感光材料の先端が押圧体の突出側の端面に強く接触した場合でも、押圧体が感光材料の搬送力を受けて斜めに退入することが可能であるので、つまり、感光材料の搬送力に起因する分力を押圧体を退入する方向に容易に作用させて押圧体から感光材料に搬送速度を乱す方向に大きい力を作用させることもない。その結果、露光時には感光材料の感光面を適正な位置に維持し、感光材料の先端部が送り込まれた場合でも、感光材料を円滑に搬送し良好な画質のプリントが可能な露光ユニットが合理的に構成された。
【００１１】
本発明は、前記押圧体がブラケットに対してスライド移動自在、かつ、突出位置が規制される状態で支持され、このブラケットが前記基材側プレートに支持されると共に、前記規制手段は前記基材側プレートと前記ブラケットとの距離を調節するネジで構成しても良い。
【００１２】
この構成により、押圧体がブラケットに対する突出位置が記載されているので、ネジの操作によって基材側プレートとブラケットとの距離を調節することにより、押圧体の突出側の端面と、感光面側プレートとの距離を調節できる。
【００１３】
本発明は、前記押圧体の突出側の端面を基準にして、前記感光材料の搬送方向の上流側位置に、この上流側ほど前記感光面側プレートの案内面から離間する姿勢の傾斜面を形成しても良い。
【００１４】
この構成により、押圧体に接触する厚みの感光材料を搬送する場合には、感光材料の先端が押圧体の傾斜面に対して接触することにより、感光材料の搬送速度を大きく低下させる不都合に繋がることがなく、押圧体に対して退入方向に力を作用させることが可能となり搬送速度を乱さず、良好な画質のプリントを行える。
【００１５】
本発明は、前記基材側プレートに対して前記搬送機構を構成する駆動ローラを備え、この基材側プレートに対して前記感光面側プレートを着脱自在に取り付けても良い。
【００１６】
この構成により、感光面側プレートを基材側プレートから取り外すことが可能となり、容易にメンテナンスを行えるばかりでなく、基材側プレートと感光面側プレートとの間において感光材料の詰まりが発生した場合にも、詰まりを容易に除去できる。
【００１７】
本発明は、前記感光面側プレートにおける前記露光位置に主走査方向に沿う姿勢の露光用のスリットを形成し、このスリットに透明板を備えても良い。
【００１８】
この構成により、押圧機構からの押圧力が作用する場合でも感光材料の先端がスリットの方向に変位する現象を透明板が阻止するので、感光材料を円滑に搬送し良好な画質のプリントを行える。
【発明を実施するための最良の形態】
【００１９】
以下、本発明の実施形態を図面に基づいて説明する。
図１に示すように、筐体１の内部に、感光材料としての印画紙Ｐに対して画像データの露光を行う露光部Ｅｘと、露光後の印画紙Ｐの現像処理を行う現像処理部Ｄｅと、現像処理後の印画紙Ｐを乾燥する乾燥部Ｄｒとを備えると共に、この乾燥部Ｄｒで乾燥された印画紙Ｐを前記筐体１に突設した排出部２からベルト型のコンベア３に排出し、このコンベア３からの印画紙Ｐを複数のトレイ４を有したソータ５にオーダ単位で集積する印画紙Ｐの集積系を備え、また、筐体１の一方の端部の上面にフィルムスキャナ６とディスプレイ７とを備え、筐体側面のテーブル８にキーボード９を備え、筐体１の端部に処理装置１０を備えて写真プリント装置が構成されている。
【００２０】
この写真プリント装置は、デジタルミニラボと称せられるものであり、前記フィルムスキャナ６で写真フィルムＦの画像をデジタル化して取得する処理を行い、この処理で取得した画像データや、前記処理装置１０のメディアドライブ１１でメディアから取得した画像データを露光部Ｅｘにおいて印画紙Ｐに露光する処理を行えるよう構成されたものである。そして、この露光部Ｅｘにおける印画紙Ｐの搬送系の概要を図２のように示すことが可能である。
【００２１】
つまり、前記露光部Ｅｘでは、長尺でロール状の印画紙Ｐを印画紙マガジンＭから圧着型の搬送ローラ１５で引き出してカッター１６に送り、このカッター１６でプリントサイズに切断した後に導入ローラ１７から露光ユニットＡに送り込み、この露光ユニットＡでは、露光経路Ｙ（副走査方向：図面では下側から上側に）に印画紙Ｐを搬送しながら露光エンジン２０からの光線で主走査方向に沿って連続的な露光を行い、そして、この露光が行われた印画紙Ｐを複数の圧着型の搬送ローラ１８で前記現像処理部Ｄｅに送り込むよう印画紙Ｐの搬送系が構成されている。
【００２２】
前記露光エンジン２０は、ＰＬＺＴ素子からなるシャッターアレイを主走査方向に配列している。このシャッターアレイはチタン酸ジルコン酸鉛にランタンを添加することにより透明強誘電性セラミック材料から構成され、所定値を超える電圧を印加することにより光線を透過する性質を有している。前記露光ユニットＡは、ハロゲンランプ等の光源２１からの光線を回転フィルタ２２、光ファイバー２３を介して前記露光エンジン２０供給する光供給系を備えている。前記回転フィルタ２２は、Ｒ（赤）、Ｇ（緑）、Ｂ（青）の３原色の光線が透過する領域を形成してあり、回転モータ２４によって回転自在に支持されている。露光ユニットＡにおいて印画紙Ｐに搬送力を与える搬送モータ２５を備えており、これら回転モータ２４と、搬送モータ２５と、露光エンジン２０とを制御する露光制御ユニット２６を備えている。
【００２３】
前記露光ユニットＡは、図３及び図４に示すように、前記露光経路Ｙに搬送される印画紙Ｐの基材側を案内する基材側プレート３１と、露光経路Ｙを搬送される印画紙Ｐの感光面側を案内する感光面側プレート３２とを対向配置すると共に、前記露光エンジン２０からの光線が照射される露光位置Ｘを基準にして印画紙Ｐの搬送方向の上流側と下流側とにおいて前記基材側プレート３１の側に配置された駆動ローラ４１と、前記感光面側プレート３２の側で駆動ローラ対向する位置に配置された従動ローラ４２とを備えている。
【００２４】
前記駆動ローラ４１は、軸体４１Ａに対して設定された間隔で複数のローラ部４１Ｂを形成した構造を有し、夫々のローラ部４１Ｂが嵌め込まれる複数の開口３１Ａを前記基材側プレート３１に形成している。これと同様に前記従動ローラ４２は軸体４２Ａに対して設定された間隔で複数のローラ部４２Ｂを形成した構造を有し、夫々のローラ部４２Ｂが嵌め込まれる複数の開口３２Ａを感光面側プレート３２に形成している。
【００２５】
前記搬送モータ２５は、駆動ベルト４３を介して前記駆動ローラ４１を駆動する。従動ローラ４２は軸部４４周りで感光面側プレート３２に支持された揺動アーム４５の揺動端に支持され、この従動ローラ４２を前記駆動ローラ４１の方向に付勢するバネ（図示せず）、及び、この揺動アーム４５の揺動させるカム式の駆動機構（図示せず）を備えている。ちなみに、一対の駆動ローラ４１と、これに対向する一対の従動ローラ４２とで本発明の搬送機構が構成されている。
【００２６】
前記感光面側プレート３２における前記露光位置Ｘには主走査方向（横方向）に沿う形状のスリット３２Ｓを形成している。前記露光経路Ｙに搬送される印画紙Ｐに対して前記スリット３２Ｓを介して露光光線を照射する位置に前記露光エンジン２０を配置している。そして、前記基材側プレート３１において前記スリット３２Ｓと対向する位置に複数の押圧機構Ｂを備えている。
【００２７】
図５（イ）、（ロ）に示すように、感光面側プレート３２の案内面の側で主走査方向での端部位置に複数の突出部３２Ｂを形成し、この突出部３２Ｂに嵌合孔３２Ｔを形成し、基材側プレート３１には、この嵌合孔３２Ｔと対向する嵌合ピン３３を立設している。基材側プレート３１の上部で主走査方向での両端位置に軸３５周りで揺動自在にロックアーム３６を備え、感光面側プレート３２の上部には、ロックアーム３６に備えたローラ３６Ａと接触する係合部３２Ｃを形成してある。
【００２８】
本発明の露光ユニットＡは、図３〜図８に示すように、前記基材側プレート３１に備えた前記押圧機構Ｂの構造、機能に特徴を有するものである。つまり、押圧機構Ｂは、板状のブラケット５１に対して出退自在に支持された押圧体５２と、この押圧体５２を突出方向に付勢する付勢手段としての一対の圧縮コイル型のバネ５３とを備え、この押圧体５２は前記基材側プレート３１の孔部３１Ｂに嵌め込む形態で配置されている。
【００２９】
前記バネ５３は、基材側プレート３１のバネ受け部３１Ｃと押圧体５２との間に介装されている。前記押圧体５２の主走査方向での端部に形成した係合片５２Ａをブラケット５１に穿設した開口５１Ａの開口縁に接当させることにより押圧体５２の突出位置（突出の限界）を決めている。また、バネ５３からの付勢力は前記押圧体５２を突出させる方向に作用すると同時に、前記ブラケット５１を基材側プレート３１に圧着させる方向にも作用する。
【００３０】
前記押圧体５２は、前記ブラケット５１の板状面と直交する方向に移動自在に支持され、このブラケット５１が基材側プレート３１に対して傾斜姿勢で支持されることにより、押圧体５２は印画紙Ｐの搬送方向の上流側に向かう傾斜姿勢の出退経路において出退自在に支持されている。
【００３１】
前記ブラケット５１は、このブラケット５２の主走査方向での両端部に位置するフランジ部を介して基材側プレート３１に支持されている。つまり、前記基材側プレート３１に立設した一対のピン５５を前記フランジ部の両端（主走査方向での両端）に穿設した一対の貫通孔５１Ｃに対してスライド移動自在に挿通している。また、基材側プレート３１において夫々ピン５５の近傍で、ピン５５を基準にして印画紙Ｐの搬送方向での上流側と下流側とに形成した（ピン５５を副走査方向で挟む位置に形成した）一対のネジ孔３１Ｓにネジ５６（規制手段の一例）を螺合させている。このネジ５６の接当により基材側プレート３１とブラケット５１との相対的な位置関係（相対的な距離）を任意に設定して押圧体５２と感光面側プレート３２の案内面３２Ｇとの距離を調節でき、一対のネジ５６の操作量の調節によってブラケット５２の姿勢も僅かに調節できる。
【００３２】
尚、このネジ５６は六角レンチで回転操作可能な構造のものを想定しているが、マイナスドライバやプラスドライバで操作可能な構造のものであっても良い。
【００３３】
図８に示すように、前記押圧体５２の突出側位置に感光面側プレート３２の案内面３２Ｇと平行する（基材側プレート３１とも平行する）押圧面５２Ｓと、この押圧面５２Ｓを基準にして印画紙Ｐの搬送方向の上流側位置に、この上流側ほど前記感光面側プレート３２の案内面３２Ｇから離間する姿勢の傾斜面５２Ｔを形成している。
【００３４】
このような構造から、図５（ロ）に示すように、前記ロックアーム３６を用いて基材側プレート３１と感光面側プレート３２とを適正に対向配置して連結することにより、図８に示すように、基材側プレート３１の案内面３１Ｇと感光面側プレート３２の案内面３２Ｇとの第１間隔Ｄ１が決まる。この第１間隔Ｄ１は印画紙Ｐの厚さより充分に大きい値に設定される。また、前記連結により前記押圧体５２の押圧面５２Ｓと感光面側プレート３２の案内面３２Ｇとの第２間隔Ｄ２が決まる。この第２間隔Ｄ２は前記ネジ５６の操作により任意設定にできるものであり、印画紙Ｐの厚さと等しい値に設定される。
【００３５】
そして、この露光ユニットＡで画像データを露光する場合には、前記搬送モータ２５の動力で駆動ローラ４１を設定速度で駆動する状態を維持する。この状態で導入ローラ１７から印画紙Ｐが送られた場合には、その印画紙Ｐの先端は基材側プレート３１の案内面３１Ｇと感光面側プレート３２の案内面３２Ｇとの間に送られる。このように印画紙Ｐを送る場合には、その印画紙Ｐの先端が下側の駆動ローラ４１に達する以前に下側の揺動アーム４５の揺動によって従動ローラ４２を駆動ローラ４１から離間させて印画紙Ｐの先端と駆動ローラ４１と従動ローラ４２との圧着部に接触することに起因する衝撃を回避する。
【００３６】
次に、この印画紙Ｐの先端が、下側の駆動ローラ４１と従動ローラ４２とで圧着可能な位置に達したタイミングで従動ローラ４２を復元方向に揺動させて下側の駆動ローラ４１と従動ローラ４２とで印画紙Ｐを圧着して搬送力を作用させる。この後、印画紙Ｐの基材側に前記押圧体５２の押圧面５２Ｓが接触すると同時に、印画紙Ｐの感光面に感光面側プレート３２の案内面３２Ｇが接触する。この状態で印画紙Ｐを搬送することにより、感光面を感光面側プレート３２の案内面３２Ｇから浮き上がらせることなく、しかも、印画紙Ｐの先端をスリット３２Ｓの方向に変位させることなく、その印画紙Ｐの感光面に対して露光エンジン２０からの光線を照射して画像データの露光を行える。
【００３７】
この後、印画紙Ｐが更に搬送された場合には、その先端が上側の駆動ローラ４１に達する以前に上側の揺動アーム４５の揺動によって従動ローラ４２を駆動ローラ４１から離間させて印画紙Ｐの先端と駆動ローラ４１と従動ローラ４２との圧着部に接触することに起因する衝撃を回避する。この後に、上側の駆動ローラ４１と従動ローラ４２とで圧着可能な位置に達したタイミングで従動ローラ４２を復元方向に揺動させ、この駆動ローラ４１と従動ローラ４２とで印画紙Ｐを圧着して搬送力を作用させる。このように上側の駆動ローラ４１と従動ローラ４２とにおいても下側の駆動ローラ４１と従動ローラ４２と同様の制御を行うことにより、印画紙Ｐに対する衝撃を回避しながら確実に搬送力を作用させている。
【００３８】
また、露光ユニットＡで露光を行う場合には、露光制御ユニット２６が搬送モータ２５を設定速度で駆動し、この駆動速度と同期した速度で回転モータ２４を回転させることにより、予め設定された周期でＲ（赤）、Ｇ（緑）、Ｂ（青）の３原色の光線を露光エンジン２０に順次送り出し、また、露光制御ユニット２６が搬送モータ２５の駆動速度と同期したタイミングで画像データの主走査方向での濃度データに基づいてシャッターアレイを制御する制御を実行することにより、印画紙Ｐに対する露光を行えるのである。
【００３９】
更に、露光ユニットＡに印画紙Ｐをスプライシングテープで接続した部位が搬送される場合には、スプライシングテープの貼着で厚みが増した部位が露光位置Ｘを通過する際には厚さの増大に伴って前記押圧機構Ｂの押圧体５２が前記バネ５３の付勢力に抗して待避方向に変位して、滞りのない搬送を現出する。特に、想定された厚さより厚いシートを搬送する場合には、押圧体５２と接触して、この押圧体５２が待避する方向に変位する場合にも、搬送方向への力を含む分力が作用する方向に押圧体５２が変位するため、この変位も円滑に行えるのである。
【００４０】
本発明の露光ユニットＡでは、前記第２間隔Ｄ２を印画紙Ｐの厚さに一致させるのが理想であるが、この第２間隔Ｄ２を印画紙Ｐの厚さより僅かに小さい値に設定しても良い。このように設定した場合には、露光位置Ｘに搬送された印画紙Ｐに対して前記押圧機構Ｂの押圧体５２が前記バネ５３の付勢力を常に作用させ、この付勢力によって印画紙Ｐの感光面を感光面側プレート３２の案内面３２Ｇに沿わせる形態で搬送することになる。
【００４１】
このように、本発明によると、第２間隔Ｄ２を印画紙Ｐの厚さと一致させることにより、露光時に印画紙Ｐの先端をスリット３２Ｓの方向に押し出す不都合を回避すると同時に、印画紙Ｐに対して過剰な圧力を作用させることに起因する搬送抵抗を抑制することにより、印画紙Ｐの円滑な搬送を現出する。そして、印画紙Ｐの搬送時には、印画紙Ｐの感光面を感光面側プレート３２の案内面３２Ｇに沿わせることにより印画紙Ｐの感光面を露光に最適な位置に維持して、所謂、ピンボケのない露光を行って良好な画質のプリントを行えるものにしている。また、前記ロックアーム３６の操作によって基材側プレート３１から感光面側プレート３１を容易に取り外せるので、印画紙Ｐの詰まりが発生した際にも、詰まりの除去を容易に行えるばかりでなく、先に使用された印画紙Ｐと厚さが異なる印画紙Ｐを用いる場合でも、基材側プレート３１の案内面３１Ｇの側からネジ５３を操作して押圧機構Ｂの押圧体５２の突出量、すなわち、第２間隔Ｄ２を必要とする値に設定することも容易に行えるのである。
【００４２】
〔別実施形態〕
本発明は、上記した実施の形態以外に以下のように構成しても良い（この別実施形態では前記実施の形態と同じ機能を有するものには、実施の形態と共通の番号、符号を付している）。
【００４３】
（イ）図９に示すように、感光面側プレート３２に形成されたスリット３２Ｓの部位に透明板６０を嵌め込む形態で備える。この透明板６０はガラス板や樹脂板が用いられ、この透明板６０のうち印画紙Ｐと対向する面を感光面側プレート３２の案内面３２Ｇに連なる面上に配置している。この構成により、基材側プレート３１と感光面側プレート３２との間に送り込まれた印画紙Ｐに対して押圧機構Ｂの押圧体３２からスリット３２Ｓの方向に圧力が作用した場合でも、印画紙Ｐの先端がスリット３２Ｓの内部に入り込む不都合を回避して円滑な搬送を実現する。
【００４４】
（ロ）押圧機構Ｂとして、複数の押圧体５２を備えていたが、押圧体５２が単一であっても良い。
【００４５】
（ニ）押圧機構Ｂとして、感光材料に接触して回転するローラを備えても良い。
【産業上の利用可能性】
【００４６】
基材側プレートと感光面側プレートとを備えている露光ユニット全般に使用することが可能である。特に、シャッター方式だけでなくレーザビームを走査する形態で露光する構造の露光ユニットにも適用できる。
【図面の簡単な説明】
【００４７】
【図１】写真プリント装置の斜視図
【図２】露光ユニットの構成を示す模式図
【図３】露光ユニットの印画紙搬送系の構造を示す分解斜視図
【図４】露光ユニットの印画紙搬送系の構造を示す断面図
【図５】基材側プレートと感光面側プレートとの連結構造を示す図
【図６】押圧機構を構成する部材と押圧機構の構造とを示す断面図
【図７】押圧体の突出量を決めるネジ及び押圧体を突出付勢するバネを示す断面図
【図８】基材側プレートと押圧体と感光面側プレートとの位置関係を示す断面図
【図９】別実施の形態（イ）の透明板の配置を示す断面図
【符号の説明】
【００４８】
３１          基材側プレート
３１Ｇ        案内面
３２          感光面側プレート
３２Ｓ        スリット
４１          駆動ローラ
５１          ブラケット
５２          押圧体
５２Ｔ        傾斜面
５３          付勢手段：バネ
５６          規制手段：ネジ
６０          透明板
Ｂ            押圧機構
Ｐ            感光材料：印画紙
Ｘ            露光位置
【図１】
2006133575.tif 000003
【図２】
2006133575.tif 000004
【図３】
2006133575.tif 000005
【図４】
2006133575.tif 000006
【図５】
2006133575.tif 000007
【図６】
2006133575.tif 000008
【図７】
2006133575.tif 000009
【図８】
2006133575.tif 000010
【図９】
2006133575.tif 000011